(57)【特許請求の範囲】
【請求項１】
棟部材の両端に棟端部部材を装着し、該棟端部部材の両側の側面の妻寄りに嵌合切欠を形成し、ケラバ部材の棟寄り端部を前記嵌合切欠に挿入して成る屋根棟において、前記棟端部部材の側壁の裏面に棟線と平行な摺動溝を形成し、前記側壁の裏面に重合される短尺の防水材を前記摺動溝に摺動可能に嵌合し、該防水材の妻寄り端縁を前記ケラバ部材の内側の側面に当接して固定したことを特徴とする屋根棟。
【請求項２】
前記棟端部部材及び棟部材の表面に、該棟端部部材と棟部材との接続部の上面及び側面を被覆する連結カバーを摺動可能に嵌装すると共に、該連結カバーの裏面にパッキングを装着し、前記棟端部部材の前記接続部寄りの頂部に棟線に沿って長孔を穿設し、前記連結カバーに取付けられた固定具を該長孔に摺動固定自在に挿通し、該固定具によって連結カバーを固定したことを特徴とする請求項１に記載された屋根棟。
【請求項３】
前記固定具が連結カバーを貫通するボルトより成り、前記連結カバーまたは棟部材の頂部下面に棟線と平行なガイド溝を形成すると共に、該ガイド溝の上底部に前記長孔を穿設し、前記ガイド溝に回り止め部材を摺動可能に装着すると共に、該回り止め部材に前記固定具と螺合される雌ネジ孔を形成したことを特徴とする請求項２に記載された屋根棟。
【発明の詳細な説明】
【０００１】
【発明の属する技術分野】
本発明は屋根棟に関する。
【０００２】
【従来の技術】
本出願人は、先に、棟冠の両端に端部棟冠を配置し、屋根面の妻端部に装着された妻部材の上端部を端部棟冠の垂下片の下方に挿入し、妻部材の外側に位置する端部棟冠の端部側壁の裏面に摺動可能に重合される防水調整板を内側に移動させて、その内側端縁を妻部材の外側円に当接し、この位置で防水調整板を固定して、妻部材と端部棟冠の端部側壁との間隙を塞ぐ技術を特開昭６３−２２６４４６号として提案した。
【０００３】
しかし、このものは、幅の狭い端部側壁に防水調整板が重合されているので、防水調整板の移動可能幅が小さくて上記間隙を完全に被覆することができない虞があるばかりか、幅狭い端部側壁に防水調整板を案内する長孔を穿設すると、この部分の強度が非常に弱くなってしまい、この結果、強風時に端部側壁が破損する心配がある。
【０００４】
さらに、上記従来の屋根棟では、端部棟冠と棟冠との接続部を覆う連結カバー材にパッキングが装着されていないので、防水性が十分でない。また、端部棟冠に穿設された長孔に連結カバー材の裏面に植設されたボルトを挿入し、該ボルトを長孔の適宜位置で固定することにより、連結カバー材を固定するので、連結カバー材の下方からボルトにナットを螺合しなければならず、このため、野地板を敷設する屋根では非常に操作性が悪いものである。
【０００５】
【発明が解決しようとする課題】
本発明は、棟端部部材とケラバ部材との隙間からの漏水を防止することができ、棟の長さ及びケラバ部材の幅の誤差を吸収することが可能で、体裁が良く施工が容易な屋根棟を提供することを目的とする。
【０００６】
【課題を解決するための手段】
本発明の屋根棟は、上記課題を達成するために、棟部材の両端に棟端部部材を装着し、該棟端部部材の両側の側面の妻寄りに嵌合切欠を形成し、ケラバ部材の棟寄り端部を前記嵌合切欠に挿入して成る屋根棟において、前記棟端部部材の側壁の裏面に棟線と平行な摺動溝を形成し、前記側壁の裏面に重合される短尺の防水材を前記摺動溝に摺動可能に嵌合し、該防水材の妻寄り端縁を前記ケラバ部材の内側の側面に当接して固定する。
嵌合切欠の外側端縁をケラバ部材の外側面に当接して棟端部部材を配置し、防水材を妻方向に移動してその外側端縁がケラバ部材に当接した位置で防水材を固定し、ケラバ部材と嵌合切欠との隙間を塞ぐ。
【０００７】
棟端部部材及び棟部材の表面に、該棟端部部材と棟部材との接続部を被覆する連結カバーを摺動可能に嵌装し、該連結カバーの裏面にパッキングを装着し、前記棟端部部材の前記接続部寄りの頂部に棟線に沿って長孔を穿設し、前記連結カバーに取付けられた固定具を該長孔に摺動固定自在に挿通し、該固定具によって連結カバーを固定することは望ましい。
連結カバーによって棟端部部材と棟部材との接続部に形成される隙間を塞ぎ、パッキングが該接続部に流入しようとする雨水を遮断する。
【０００８】
また、固定具が連結カバーを貫通するボルトより成り、前記連結カバーまたは棟部材の頂部下面に棟線と平行なガイド溝を形成すると共に、該ガイド溝の上底部に前記長孔を穿設し、前記ガイド溝に回り止め部材を摺動可能に装着すると共に、該回り止め部材に前記固定具と螺合される雌ネジ孔を形成することは望ましい。
ボルトの位置が決まった段階で棟の上方からボルトを回動し、回転が抑制された回り止め部材の雌ネジ孔に螺合して締め付けることにより、連結カバーを固定する。
【０００９】
【発明の実施の形態】
図３は、本発明の屋根棟に係る段葺き屋根の全体図である。
切妻屋根の屋根下地上に、横に長い屋根板１が前後左右に多数枚並設されて固定され、前後方向（勾配方向）に隣接する屋根板１の前後端部が互いに係合されると共に、左右に隣接する屋根板１の側端部上面間にキャップ２が架設されて各屋根板１どうしが連結されている。
【００１０】
また、屋根の最も側端部に位置する屋根板１の外側端は妻面に沿って配設されたケラバ部材３の内側部に係合され、屋根棟に沿って棟部材４が配設される。  棟部材４は長手方向に複数に分割されると共に、棟連結部材５を介して連結されている。また、棟部材４の両端に棟端部部材６が装着され、棟部材４と棟端部部材６との接続部は連結カバー７で被覆されている。
なお、図を簡略化するために、屋根板は横２列に敷設されているが、屋根幅及び屋根板１の長さによって３列以上並設する場合もある。
【００１１】
図６に示すように、棟部材４は上方凸に湾曲する冠部８を有し、その下面両側から側壁９が垂下されると共に、側壁９の外方において冠部８の両端に係合屈曲部１０が下方に向いて形成されている。また、側壁９の下端部内面から内方に水平に張り出し、その先端を下方に屈曲して支脚１１が形成される。さらに、冠部８の下面の幅方向中央部にボルト固定溝１２が長手方向に沿って設けられる。また、冠部８の長手方向両端部においてボルト固定溝１２の上方にナット操作用切欠３７´が形成されている。
【００１２】
この棟部材４は、図５に示すように、左右屋根面の最上段に配置される屋根板１，１間に架設され、その支脚１１が屋根板１の上面に載置される。また、屋根下地に取付けられた固定ボルト１３の上端がボルト固定溝１２内に挿入され、ナット操作用切欠３７´を通して、ボルト固定溝１２内の固定ボルト１３の上端に抜け止め座金１４を介してナット３７が螺合され、これにより、棟部材４が屋根下地に固定される。
【００１３】
棟連結部材５は、図７に示すように、棟部材４の外面に沿う形状を成しており、その両側下端に棟部材４の側壁９下端に摺動可能に係合する棟部材係合部１５が形成され、該棟部材係合部１５の上方に棟部材４の係合屈曲部１０に摺動可能に係合する摺動係止部１６が形成されている。
また、棟連結部材５の天部裏面に断面波状の下面を有するパッキング１７が重合され、図５に示すように、このパッキング１７が棟部材４の冠部８との間に介在されるようになっている。このため、棟連結部材５と棟部材４との隙間から雨水が侵入することがない。
【００１４】
棟部材４を長手方向に連結するには、図８に示すように、先に配置した棟部材４の端部から棟連結部材５を嵌め込み、棟部材４の側壁９下端及び係合屈曲部１０に棟連結部材５の棟部材係合部１５及び摺動係止部１６を係止して、棟部材４の外面に棟連結部材５を被せておく。
次に、先に配置した棟部材４に隣接してその延長上に他の棟部材４を配置した後、棟連結部材５を矢印ｃ方向に摺動して隣接する２本の棟部材４，４の接続端部及びナット操作用切欠３７´を被覆し、棟部材４に対して雨仕舞構造を構成する。
【００１５】
そして、屋根板１の勾配方向の長さの合計と屋根下地の長さとの間に誤差がある場合は、最上段の屋根板１とその表面に架設される棟部材４との重合幅を変えることによって、上記誤差を吸収するようになっている。
すなわち、屋根板１の長さの合計が屋根下地の長さに対して短い場合は、図９の（イ）に示すように、屋根板１の後端部が棟部材４の外側下部に形成された支脚１１に近づき、この位置で固定されてマイナス調節取付となる。
【００１６】
また、屋根板１の長さの合計が屋根下地の長さに対して基準通りであり、棟部分における調節が不要の場合は、図９の（ロ）に示すように、棟部材４の下方において、その片側の中央位置に屋根板１の後端部が位置して固定され、標準取付となる。
屋根板１の長さの合計が屋根下地の長さに対して長い場合は、図９の（ハ）に示すように、屋根板１の後端部が棟部材４の下方において屋根頂部に接近し、この位置で固定されてプラス調節取付となる。
【００１７】
図１０及び図３に示すように、棟部材４の両端に装着される棟端部部材６は、棟部材４とほぼ同様の断面を有する。すなわち、棟部材４に対応する冠部８´、側壁９´、係合屈曲部１０´、支脚１１´を備える。
また、棟端部部材６の妻寄り端面は側壁９´より下方に延びる端部壁１８で閉塞されており、端部壁１８の内側端部から側壁９´の妻寄り端部にかけて嵌合切欠１９が形成されている。この嵌合切欠１９には、図４に示すように、ケラバ部材３の棟寄り端部が挿入され、端部壁１８の嵌合切欠１９より下方の部分がケラバ部材３の下面に係止されるようになっている。
【００１８】
さらに、棟端部部材６の冠部８´の中央下面に、棟部材４のボルト固定溝１２とほぼ同形のガイド溝２０が棟線と平行に形成される。該ガイド溝２０の開口部は奥部より幅狭く形成され、その上底部の中央部に取り付け孔２１が、棟部材４寄りに長孔２２がそれぞれ穿設される。この長孔２２は、長軸が棟線と一致するように形成されている。
そして、図１３に示すように、ガイド溝２０にこれよりやや巾が狭い四角形の回り止め部材２３が、摺動自在に且つ回動不能に嵌合され、該回り止め部材２３には雌ネジ孔２４が穿設されている。
【００１９】
また、棟端部部材６の両側側壁９´の裏面に、棟部材４寄りの端縁から嵌合切欠１９に亘って棟線と平行な摺動溝２５が形成される。摺動溝２５の開口部は奥部より幅狭く形成され、その下端に支脚１１´が設けられる。また、摺動溝２５の底部において側壁９´の嵌合切欠１９寄りに、棟線に沿って長い摺動孔２６が穿設されている。
【００２０】
この摺動溝２５に短尺の防水材２７が摺動可能に装着される。防水材２７は、摺動溝２６に係合されて側壁９´の裏面に重合される係止板２８と、係止板２８の裏面から突設されて支脚１１´の裏面に重合される防水壁２９とを備える。  係止板２８にはネジ孔３０が穿設され、摺動孔２６に挿通された化粧ボルト３８の先端がこのネジ孔３０に螺合される。従って、防水材２７は、側壁９´の妻寄り端部において摺動孔２６の長さだけ摺動することができるようになっている。なお、防水材２７の妻寄り端縁はケラバ部材３の内側面に合致するよう切欠かれ、嵌合切欠１９の内側部に突出されている。
【００２１】
連結カバー７は、棟端部部材６の棟部材４寄り端部の表面に摺動可能に嵌合され、棟部材４及び棟端部部材６の冠部８，８´を覆う冠部被覆部３１と側壁９，９´を覆う側壁被覆部３２を備える。そして、側壁被覆部３２の上端が棟端部部材６の係合屈曲部１０´に係合されると共に、側壁被覆部３２の下端が支脚１１´に係合され、連結カバー７がスムーズに案内されるようになっている。
【００２２】
また、連結カバー７の冠部被覆部３１の棟部材４寄り端部は他の部分よりやや上方に膨隆されて被覆蓋部３３が形成され、図１１に示すように、この被覆蓋部３３の裏面にパッキング１７´が装着されている。パッキング１７´は、図１２に示すように、各山部及び谷部が棟線に交差して延びる波形の断面を有し、パッキング１７´の下面が棟部材４及び棟端部部材６の表面に密着した時に、その波形の形状によって形成される多数の平行な狭小空間が表面張力に基づく毛細管現象による雨水の侵入を遮断するようになっている。
【００２３】
さらに、冠部被覆部３１の頂部の妻寄りにボルト挿通孔３４が穿設されている。図１３に示すように、ボルト挿通孔３４の上方からボルト３５が挿通され、ボルト３５の先端が長孔２２を介して棟端部部材６を貫通し、回り止め部材２３の雌ネジ孔２４に螺合されている。
【００２４】
棟部材４と棟端部部材６とは次のように接続される。
棟部材４を装着した後、図２に示すように、その両端に棟端部部材６を配置し、ケラバ部材３の棟寄り端部を棟端部部材６の嵌合切欠１９に挿入する。この時、嵌合切欠１９の外方側縁がケラバ部材６の外側面に当接される。なお、棟の長さによって、棟部材４と棟端部部材６との接続部の間隙幅が多少変化する。
この位置に配置された棟端部部材６の取り付け孔２１に化粧釘３６を打ち込んで、棟端部部材６を屋根下地に固定する。
【００２５】
次に、化粧ボルト３８を摺動孔２６に沿って矢印ｂ方向に動かすことにより、防水材２７を妻方向に移動してその妻寄り端縁をケラバ部材３の内側面に当接し、嵌合切欠１９とケラバ部材３との隙間を塞ぐ。この位置で化粧ボルト３８を締め付けて防水材２７を固定する。
【００２６】
次いで、連結カバー７を矢印ｃに沿って棟部材４の方向に移動し、図１に示すように、被覆蓋部３３及び側壁被覆部３２で棟部材４と棟端部部材６との接続部表面を覆う。すると、連結カバー７を貫通するボルト３５は長孔２２に沿って移動するので、連結カバー７の位置が決定されたら、棟の上方からボルト３５を締め付けて連結カバー７を固定する。
【００２７】
上記実施形態においては、棟端部部材６が化粧釘３６で強固に屋根下地に固定されると共に、棟部材４が固定ボルト１３で固定され、しかも、連結カバー７の側壁被覆部３２の上下端が棟部材４及び棟端部部材６の係合屈曲部１０，１０´及び支脚１１，１１´に係合されるので、風に対する耐久性が非常に大きく、台風等による強風時にも屋根棟が破損する事がない。
また、連結カバー７は棟部材４に対して摺動可能に被覆されているので、温度変化によって棟部材４及び棟端部部材６が多少伸縮し、これらの接続部の間隙幅が増減しても、この増減を吸収することができる。
【００２８】
さらに、連結カバー７が棟部材４と棟端部部材６との接続部の表面を覆って雨水の侵入を防ぐと共に、波形のパッキング１７´によって棟部材４及び棟端部部材６の表面との間に形成される狭小空間が、表面張力に基づく毛細管現象による雨水の侵入を遮断するので、高度な防水性能が得られる。
また、防水材２７が摺動してケラバ部材３の内側面に当接されると共に、防水材２７の妻寄り端縁がケラバ部材３の内側面に合致する形状に形成されているので、ケラバ部材３と嵌合切欠１９との隙間が塞がれて更に防水性が増すと共に外観も美しくなり、ケラバ部材３と嵌合切欠１９の幅に誤差があっても、防水材２７が摺動してこの誤差を吸収することができる。
【００２９】
【発明の効果】
請求項１の構成によれば、ケラバ部材と嵌合切欠との隙間が防水材によって完全に塞がれるので、この部分から雨水が吹き込む虞が無く、防水性が増すばかりか、体裁が良い。
また、ケラバ部材と嵌合切欠の幅に誤差があっても、防水材が摺動してケラバ部材に当接するので、上記誤差を吸収することができる。
【００３０】
さらに、防水材は、棟端部部材の棟部材寄りの側壁に摺動自在に重合されているので、幅狭い妻側の側壁に設けられたものと比較して摺動可能幅を十分にとることができ、このため、ケラバ部材と嵌合切欠との幅の誤差が大きくてもこれに追随することが可能であり、防水材をガイドする摺動孔によって棟端部部材の側壁の強度が著しく低下する心配もない。
【００３１】
請求項２の構成によれば、棟端部部材に予め連結カバーを取付けておき、棟端部部材を棟部材の外側に配置した後連連結カバーを移動するだけで、棟端部部材と棟部材との接続部を被覆することができるので施工が簡単であり、ケラバ部材と棟端部部材との係合及び棟端部部材と棟部材に対する連結カバーの嵌合が相俟って、風圧及び振動に対する耐久性が増大し、強靭となる。
また、棟部材と棟端部部材との間隙幅を適宜変更して棟の長さに対応することが可能であり、接続部における間隙幅が多少変化してもその上面が連結カバーで覆われるので、外観には現れず体裁が良い。
さらに、このように連結カバーで上記接続部の隙間を覆うと共に、パッキングで雨水の侵入を遮断するため、防水性能がきわめて良好である。
【００３２】
請求項３の構成によれば、ボルトを長孔に沿って摺動させた後、棟の上方から締め付けるだけで連結カバーを固定することができ、棟の下方における作業が不要であるため、施工性がきわめて良い。
【図面の簡単な説明】
【図１】本発明の実施形態を示す屋根棟の完成状態の要部斜視図
【図２】本発明の実施形態を示す屋根棟の連結カバー固定前の要部斜視図
【図３】屋根の全体斜視図
【図４】屋根の要部斜視図
【図５】屋根棟の断面図
【図６】棟部材の斜視図
【図７】棟連結部材の斜視図
【図８】棟部材の連結途中の斜視図
【図９】棟部分における勾配方向の長さ調節を示す断面図
【図１０】連結カバーを装着した棟端部部材の斜視図
【図１１】連結カバーの裏面斜視図
【図１２】連結カバーの断面図
【図１３】連結カバー及び棟端部部材の分解斜視図
【符号の説明】
１  屋根板
２  キャップ
３  ケラバ部材
４  棟部材
５  棟連結部材
６  棟端部部材
７  連結カバー
８，８´  冠部
９，９´  側壁
１０，１０´  係合屈曲部
１１，１１´  支脚
１２  ボルト固定溝
１３  固定ボルト
１４  抜け止め座金
１５  棟部材係合部
１６  摺動係止部
１７，１７´  パッキング
１８  端部壁
１９  嵌合切欠
２０  ガイド溝
２１  取り付け孔
２２  長孔
２３  回り止め部材
２４  雌ネジ孔
２５  摺動溝
２６  摺動孔
２７  防水材
２８  係止板
２９  防水壁
３０  ネジ孔
３１  冠部被覆部
３２  側壁被覆部
３３  被覆蓋部
３４  ボルト挿通孔
３５  ボルト
３６  化粧釘
３７  ナット
３７´  ナット操作用切欠
３８  化粧ボルト
【図１】
0003589366.tif 000002
【図２】
0003589366.tif 000003
【図３】
0003589366.tif 000004
【図４】
0003589366.tif 000005
【図５】
0003589366.tif 000006
【図６】
0003589366.tif 000007
【図７】
0003589366.tif 000008
【図８】
0003589366.tif 000009
【図９】
0003589366.tif 000010
【図１０】
0003589366.tif 000011
【図１１】
0003589366.tif 000012
【図１２】
0003589366.tif 000013
【図１３】
0003589366.tif 000014